(57)【特許請求の範囲】
【請求項１】
平坦面を有する平坦部と該平坦部から傾斜して立ち上がる傾斜部とを有する一方、それら平坦部と傾斜部に跨がって位置するように、有底の凹所が加工されてなる凹所加工製品を製造する方法にして、
かかる凹所加工製品における凹所の開口形状に対応する断面形状を有するパンチと、該パンチの断面形状に一致する開口部を有し、該パンチにて押し出される材料を受け入れるダイス穴を備えたダイスとを用いたプレスによるハーフ抜き加工を、該ダイスの前記ダイス穴の内壁面が内方に５°〜１５°の角度で傾斜するテーパ面とされ、更に、該ダイスの前記傾斜部側に位置するダイス穴の開口縁部には、０．３ｍｍ以上の曲率半径を有する湾曲面が形成されてなる形態において、実施することにより、前記凹所を形成せしめることを特徴とする凹所加工製品の製造方法。
【請求項２】
前記凹所加工製品が、円環形状の平坦部と該平坦部の内周縁部又は外周縁部に連設された円錐台形状又は逆円錐台形状の傾斜部とを有していると共に、それら平坦部と傾斜部の円形の連設部に沿って、円孔形状を呈する前記凹所の複数が、所定間隔を隔てて配設されている請求項１に記載の凹所加工製品の製造方法。
【請求項３】
前記ダイスの前記傾斜部側に位置するダイス穴の開口縁部と前記平坦部側に位置するダイス穴の開口縁部との接続領域において、前者から後者に向かって曲率半径が漸減する湾曲面が形成されている請求項２に記載の凹所加工製品の製造方法。
【請求項４】
前記ダイス穴が、前記傾斜部側に位置する部位において、前記テーパ面から前記平坦面に対して垂直な方向に延びるストレート面からなる内壁面を有し、該ストレート面と前記傾斜部の傾斜面との接続部位に、前記湾曲面が形成されている請求項２又は請求項３に記載の凹所加工製品の製造方法。
【請求項５】
前記パンチとダイスを用いたハーフ抜き加工の後、得られるプレス加工品の前記凹所に対応する背部に形成された突出部を切除する工程が、更に実施される請求項１乃至請求項４の何れか１項に記載の凹所加工製品の製造方法。
【発明の詳細な説明】
【技術分野】
【０００１】
本発明は、凹所加工製品の製造方法に係り、特に、プレスによるハーフ抜き加工によって所定の凹所を有利に形成せしめ、目的とする凹所加工製品を、経済的に有利に製造し得る方法に関するものである。
【背景技術】
【０００２】
従来から、所定の加工によって凹所が形成されてなる製品が、各種用途における機械・装置の構成部品の一つとして用いられてきており、例えば、特開２００６−１３２６３２号公報に開示の自動変速機用ピストンにおけるバランサの如きミッション部品として、また特開２００４−３６６５１号公報に開示の自動変速機の摩擦係合装置におけるピストン部材等として、用いられてきている。
【０００３】
ところで、そのような凹所加工製品であるバランサ等として用いられるミッション部品は、その中心部位において回転軸に取り付けられて、回転せしめられるものであるところから、例えば、図１乃至図４に示される如く、平面視において円環形状を呈するものとされている。具体的には、かかるバランサ２は、所定幅の円環状の平坦面を有する平坦部４と、その外周部に一体的に立設された所定高さのフランジ部６と、かかる平坦部４の内周縁部から傾斜して立ち上がる円錐台形状の傾斜部８とを有していると共に、それら平坦部４と傾斜部８との平面視が円形状の連設部に沿って、多数の凹所１０が、有底円孔形状において、近接して配設されてなる構造とされているのである。なお、このようなバランサ２における円孔形状に配設された多数の凹所１０は、コイルスプリングの座面として用いられ、トランスミッションに組み付けられるようになっている。
【０００４】
そして、このようなバランサ２として用いられる凹所加工製品を、プレス加工にて製作する場合において、その凹所１０を、パンチとダイスを用いたハーフ抜き加工（半抜き加工）にて形成せしめようとすると、凹所１０の形成部位が傾斜部８にかかることとなり、この傾斜部８に対して、パンチが深く食い込み、板厚の半分以上に達するようになるところから、図５において○印（Ｘ）にて示される凹所１０の傾斜部８側の部位において、材料破断が惹起される問題があり、そのために、かかる凹所１０は、切削加工にて形成されているのが、現状であった。
【０００５】
しかしながら、そのような凹所形成作業を、切削加工にて、多数の凹所の全てに対して実施することは、非常に手間の掛かることであり、生産性に劣るものとなると共に、製造コストが高くなる等の問題を内在するものであった。
【先行技術文献】
【特許文献】
【０００６】
【特許文献１】特開２００６−１３２６３２号公報
【特許文献２】特開２００４−３６６５１号公報
【発明の概要】
【発明が解決しようとする課題】
【０００７】
ここにおいて、本発明は、かかる事情を背景にして為されたものであって、その解決課題とするところは、凹所加工製品の平坦部から傾斜部に跨がる、目的とする凹所が、プレスによるハーフ抜き加工によって、簡単に且つ容易に形成せしめられ得て、かかる凹所加工製品を低コストで製造することの出来る手法を提供することにある。
【課題を解決するための手段】
【０００８】
そして、本発明にあっては、かくの如き課題を解決するために、平坦面を有する平坦部と該平坦部から傾斜して立ち上がる傾斜部とを有する一方、それら平坦部と傾斜部に跨がって位置するように、有底の凹所が加工されてなる凹所加工製品を製造する方法にして、かかる凹所加工製品における凹所の開口形状に対応する断面形状を有するパンチと、該パンチの断面形状に一致する開口部を有し、該パンチにて押し出される材料を受け入れるダイス穴を備えたダイスとを用いたプレスによるハーフ抜き加工を、該ダイスの前記ダイス穴の内壁面が内方に５°〜１５°の角度で傾斜するテーパ面とされ、更に、該ダイスの前記傾斜部側に位置するダイス穴の開口縁部には、０．３ｍｍ以上の曲率半径を有する湾曲面が形成されてなる形態において、実施することにより、前記凹所を形成せしめることを特徴とする凹所加工製品の製造方法を、その基本的構成とするものである。
【０００９】
なお、かかる本発明に従う凹所加工製品の製造方法の好ましい態様の一つによれば、前記凹所加工製品が、円環形状の平坦部と該平坦部の内周縁部又は外周縁部に連設された円錐台形状又は逆円錐台形状の傾斜部とを有していると共に、それら平坦部と傾斜部の円形の連設部に沿って、円孔形状を呈する前記凹所の複数が、所定間隔を隔てて配設されている。
【００１０】
さらに、そのような本発明に従う凹所加工製品の製造方法の望ましい態様の一つによれば、前記ダイスの前記傾斜部側に位置するダイス穴の開口縁部と前記平坦部側に位置するダイス穴の開口縁部との接続領域において、前者から後者に向かって曲率半径が漸減する湾曲面が形成されている。
【００１１】
加えて、本発明に従う凹所加工製品の製造方法の別の好ましい態様の一つにあっては、前記ダイス穴は、前記傾斜部側に位置する部位において、前記テーパ面から前記平坦面に対して垂直な方向に延びるストレート面からなる内壁面を有し、該ストレート面と前記傾斜部の傾斜面との接続部位に、前記湾曲面が形成されている。
【００１２】
更にまた、本発明にあっては、前記パンチとダイスを用いたハーフ抜き加工の後、得られるプレス加工品の前記凹所に対応する背部に形成された突出部を切除する工程が、更に実施される構成が、好ましく採用されることとなる。
【発明の効果】
【００１３】
このように、本発明に従う凹所加工製品の製造方法によれば、プレスによるハーフ抜き加工に用いられるダイスが、そのダイス穴形態において、所定角度で傾斜するテーパー面からなる内壁面とされていると共に、凹所加工製品における傾斜部側に位置するダイス穴の開口縁部には、大きな曲率半径を有する湾曲面が形成されているところから、目的とする凹所を形成するためのハーフ抜き加工において、パンチにて押し出される材料がダイス穴内に効果的に導かれると共に、傾斜部に対するプレス加工に際しても、ダイス穴の開口縁部に設けられた湾曲面の存在により、材料をダイス穴内に有利に流動せしめ得て、当該部位における破断を有利に抑制乃至は阻止し得ることとなったのである。
【００１４】
従って、本発明によれば、目的とする凹所加工製品が、パンチとダイスを用いたプレスによるハーフ抜き加工にて製造することが出来るところから、従来の切削加工による製造手法に比べて、極めて簡単に且つ容易に、生産性良く製造することが出来ることとなり、以て、そのような凹所加工製品の製造コストを有利に低減せしめ得たのである。
【図面の簡単な説明】
【００１５】
【図１】本発明の対象とする凹所加工製品の一つであるミッション部品のバランサの一例を示す斜視説明図である。
【図２】図１に示されるバランサの平面説明図である。
【図３】図２におけるＡ−Ａ断面拡大部分説明図である。
【図４】図２におけるＢ−Ｂ断面拡大部分説明図である。
【図５】通常のプレス加工にて凹所を形成した形態を示す、図３に相当する断面拡大部分説明図である。
【図６】本発明に従ってプレスによるハーフ抜き加工を実施する形態の一例を示す断面拡大説明図である。
【図７】図６におけるＹ部分を分解して示す拡大説明図である。
【図８】図６において用いられるダイスのダイス穴の開口部付近を更に拡大して示す説明図であって、（ａ）は、図７に示される断面形態における拡大部分説明図であり、（ｂ）は、平面形態拡大説明図である。
【図９】本発明に従ってハーフ抜き加工を実施した際におけるパンチと材料とダイスの状態を示す拡大断面説明図である。
【図１０】本発明に従ってハーフ抜き加工して得られたプレス加工品から凹所背部の突出部を切除する工程を示す拡大断面部分説明図である。
【発明を実施するための形態】
【００１６】
以下、本発明を更に具体的に明らかにするために、本発明の実施の形態について、図面を参照しつつ、詳細に説明することとする。
【００１７】
先ず、本発明において対象とする凹所加工製品は、平坦面を有する平坦部と、かかる平坦部、具体的には平坦面から傾斜して立ち上がる傾斜部を有していると共に、それら平坦部と傾斜部とに跨がって位置するように、有底の凹所が加工・形成されてなるものであるが、特に、本発明にあっては、図１乃至図４に示される如く、多数の凹所が近接して配設される必要のある、ミッション部品であるバランサ等の製品の製造において、本発明が有利に適用されることとなる。そのような図１及至図４に示されるバランサ２は、円環形状の平坦面を有する平坦部４と、その内周縁部から立ち上がる円錐台形状の傾斜部８との、平面視が円形の連設部位に、それら平坦部４と傾斜部８とに跨がるように、有底の凹所１０の多数が、近接して配設されて、平面視において円形状に配設されてなる形態を有しているものである。
【００１８】
そして、そのような凹所加工製品を製造するに際しては、所定の金属板材に対してプレス成形等の成形加工を施して、平坦部４と、それから傾斜して立ち上がる傾斜部８とを有する、所定の製品形状を呈する製品素材とした後、この製品素材に対して、本発明に従うパンチとダイスを用いたハーフ抜き加工が施されることとなるのである。なお、かかる製品素材を与える金属板材としては、比較的固くて延びが悪い材質、例えばＳＰＨ５９０等の熱延鋼板からなる板材である場合において、本発明の特徴がより有利に発揮されることとなる。
【００１９】
すなわち、本発明においては、上述の如くして得られる所定形状の製品素材を、所定のプレス金型にセットして、プレスによるハーフ抜き加工を実施するものであり、その一例が、図６に示されている。そこにおいて、製品素材１２を保持するプレス金型１４の一部を構成するダイス１８と、それに対向するように配置されたパンチ１６とを用いて、製品素材１２をプレスせしめ、かかるパンチ１６が製品素材１２の厚さの中間部位に止まるようにしたハーフ抜き加工（半抜き加工）が行われるようになっている。
【００２０】
具体的には、図７に示されるように、パンチ１６は、凹所加工製品（２）における凹所１０の開口形状に対応する断面形状（ここでは、円形形状）を有している。一方、ダイス１８は、セットされる製品素材１２における凹所１０形成部位に対応する部位に、ダイス穴２０を具備している。このダイス穴２０は、パンチ１６の断面形状に一致する開口部を有し、かかるパンチ１６によるプレス作用にて、製品素材１２から押し出される材料を受け入れるようになっている。しかも、そのようなダイス穴２０は、図７及び図８から明らかなように、その内壁面２２が内方に傾斜したテーパ面として、構成されていると共に、製品素材１２の傾斜部１２ａ側に位置するダイス穴開口縁部には、外方に凸なる形状の湾曲面２４が形成されているのである。そして、かかるダイス１８におけるダイス穴２０の内壁面２２の傾斜角度：αとしては、５°〜１５°の範囲内の角度が採用されている。なお、この角度範囲から外れると、材料の流れが充分でなく、本発明の作用乃至は効果が、有効に発揮され難くなるからである。
【００２１】
また、ダイス穴２０の開口縁部に設けられる湾曲面２４は、図８に示される如く、ここでは、製品素材１２の傾斜部１２ａを支持するダイス１８の傾斜面１８ａに位置するダイス穴２０の開口縁部と製品素材１２の平坦部１２ｂを支持するダイス１８の平坦面１８ｂに位置するダイス穴２０の開口縁部との接続領域において、かかる傾斜面１８ａ側に位置する部位から平坦面１８ｂ側に位置する部位に向かって曲率半径が漸次小さくなる湾曲面とされ、そして平坦面１８ｂに位置するダイス穴２０の開口縁部の小さな湾曲面、例えば０．１ｍｍ程度の曲率半径の湾曲面に接続されるようになっている。ここで、かかる傾斜面１８ａ部位に位置する湾曲面２４の曲率半径としては、少なくとも０．３ｍｍ以上、好ましくは０．４ｍｍ以上とされる必要があり、そうすることによって、板厚の５０％以上にも及ぶハーフ抜き加工が実施されても、材料の破断が有利に抑制乃至は阻止され得ることとなるのである。なお、そのような湾曲面２４の曲率半径の上限としては、一般に、１．０ｍｍ程度とされ、あまりにも大きな曲率半径の採用は、凹所１０の正確な形状を確保する上において不利となるものである。
【００２２】
さらに、ここでは、ダイス穴２０のテーパ状の内壁面２２の傾斜面１８ａ側に位置する部位が、かかるテーパ状の内壁面２２の平坦面１８ｂと同じ高さ位置から、平坦面１８ｂに対して垂直な方向に延びるストレート面２６として形成され、このストレート面２６から傾斜面１８ａに続く開口縁部が、上述の如き大きな曲率半径の湾曲面２４として形成されているのである。このようなストレート面２６の存在によって、ハーフ抜き加工時にダイス１８にスラスト荷重が作用するのを効果的に抑制乃至は阻止して、ダイスの破損等の問題の発生を有利に回避することが出来るようになっている。
【００２３】
そして、本発明にあっては、上述の如き構成のパンチ１６とダイス１８を用いて、製品素材１２における傾斜部１２ａと平坦部１２ｂに跨がる所定位置に対して、図６〜図９に示される如く、プレスによるハーフ抜き加工、換言すればパンチ１６により打ち抜くことなく、製品素材１２の厚さの途中でパンチ１６を止めることにより、かかるパンチ１６の形状に対応した凹所１０が形成されると共に、かかる凹所１０の形成側とは反対側の製品素材１２部分が、ダイス１８のダイス穴２０内に押し出されることとなる。
【００２４】
このように、本発明にあっては、かかるハーフ抜き加工において、ダイス１８のダイス穴２０が、図７や図８から明らかなように、その内壁面２２が内方に所定角度で傾斜するテーパ面として形成されていると共に、製品素材１２の傾斜部１２ａ側に位置する、換言すれば該傾斜部１２ａを支持するダイス１８の傾斜面１８ａ側に位置する開口縁部が、比較的大きな曲率半径を有する湾曲面として形成されているところから、パンチ１６によって押し出される材料は、それらテーパ面（２２）や湾曲面２４の存在により、効果的に、ダイス穴２０内に流れ込むこととなるのであり、以て、板厚の５０％を超えるハーフ抜き加工を実施しても、傾斜部１２ａ側において破断が惹起される等の問題も、有利に回避され得ることとなったのである。その結果、目的とする凹所加工製品が、プレス加工によって、簡単に且つ容易に、生産性良く製造され得ることとなり、その製造コストを、有利に低減せしめ得たのである。
【００２５】
なお、そのようなハーフ抜き加工が製品素材１２に対して施されて、得られたプレス成形品２８には、図１０に示される如く、目的とする凹所１０の形成された側とは反対側の面に、即ち背後の面に、円錐台形状の突出部３０が形成されてなる形態を呈するものとなっているのであるが、そのような突出部３０は、他の部材との組み付けに際して邪魔となるところから、それを、通常の切削加工等によって切除する工程が、好適に採用されることとなる。尤も、そのような突出部３０が、プレス加工品２６の凹所加工製品としての用途において、邪魔となるものでなければ、切除することなく、そのままの形態で用いることも可能である。
【００２６】
このように、本発明によれば、目的とする凹所加工製品が、プレス加工にて有利に製造され得ることとなるのであるが、そこで対象とされる凹所加工製品は、例示のミッション部品のバランサのみならず、自動変速機等のトランスミッションにおけるピストン部材等も、その対象とすることが可能である。
【００２７】
また、図面に示される実施形態においては、製品素材１２は、円環形状の平坦部１２ｂの内周縁部に、円錐台形状の傾斜部１２ａが連設されてなる形態とされているが、それとは逆の形態、即ち、円環形状の平坦部（１２ｂ）の外周縁部に、逆円錐台形状の傾斜部（１２ａ）を連接してなる形態のものに対しても、それら平坦部と傾斜部に跨がる凹所１０を、本発明に従って形成することが可能である。
【００２８】
さらに、例示の実施形態においては、ダイス穴２０の傾斜面１８ａ側の開口縁部に設けられる湾曲面２４の曲率半径が、平坦面１８ｂ側の開口縁部との接続領域において、該平坦面１８ｂ側に向かって漸減するように構成されているが、かかる傾斜面１８ａ側に位置するダイス穴２０の開口縁部を、傾斜面１８ａの最も高い位置において、最も大きな曲率半径の湾曲面として形成する一方、傾斜面１８ａの高さが低くなるに従って、漸次曲率半径の小さな湾曲面として構成し、ダイス穴２０の平坦面１８ｂ側の開口縁部に接続させることも可能である。
【００２９】
更にまた、ダイス穴２０のテーパ面からなる内壁面２２と湾曲面２４とを接続するストレート面２６にあっても、そのダイス穴２０深さ方向における長さ（大きさ）は、適宜に選択されることとなるが、一般に、ダイス１８の傾斜面１８ａの傾斜角度の大きさやダイス穴２０の大きさ、内壁面２２のテーパ角度等によって、決定されるものである。
【００３０】
その他、一々列挙はしないが、本発明は、当業者の知識に基づいて、種々なる変更、修正、改良等を加えた態様において実施され得るものであり、そしてそのような実施の態様が、本発明の趣旨を逸脱しない限りにおいて、何れも、本発明の範疇に属するものであることは、言うまでもないところである。
【符号の説明】
【００３１】
２  バランサ                ４  平坦部
８  傾斜部                  １０  凹所
１２  製品素材              １２ａ  傾斜部
１２ｂ  平坦部              １４  プレス金型
１６  パンチ                １８  ダイス
１８ａ  傾斜面              １８ｂ  平坦面
２０  ダイス穴              ２２  内壁面
２４  湾曲面                ２６  ストレート面
２８  プレス成形品          ３０  突出部
【図１】
0006586373.tif 000002
【図２】
0006586373.tif 000003
【図３】
0006586373.tif 000004
【図４】
0006586373.tif 000005
【図５】
0006586373.tif 000006
【図６】
0006586373.tif 000007
【図７】
0006586373.tif 000008
【図８】
0006586373.tif 000009
【図９】
0006586373.tif 000010
【図１０】
0006586373.tif 000011